(57)【要約】【課題】取付壁部の取付孔部に対するハウジングの挿入部の不完全な挿入を防止でき、端子と取付部との位置ずれを防止することができるコネクタを提供する。【解決手段】取付孔部３が設けられた取付壁部５と、取付孔部３に挿入される挿入部７と取付壁部５に固定される固定部９とを有するハウジング１１と、挿入部７の内部側に挿通され端部に端子１３が接続された電線１５と、取付壁部５を挟んでハウジング１１の固定部９と反対側に設けられ取付壁部５に固定部９を介してハウジング１１が固定された状態で端子１３が固定部材１７を介して接続される取付部１９とを備えたコネクタ１において、ハウジング１１の挿入部７に、挿入部７を取付孔部３に挿入させたときと、挿入を完了したときの挿入力を変化させる検知手段２１を設けた。【選択図】図２
2014220065.tif 000002
【特許請求の範囲】
【請求項１】
取付孔部が設けられた取付壁部と、前記取付孔部に挿入される挿入部と前記取付壁部に固定される固定部とを有するハウジングと、前記挿入部の内部側に挿通され端部に端子が接続された電線と、前記取付壁部を挟んで前記ハウジングの固定部と反対側に設けられ前記取付壁部に前記固定部を介して前記ハウジングが固定された状態で前記端子が固定部材を介して接続される取付部とを備えたコネクタであって、
前記取付壁部の取付孔部と前記ハウジングの挿入部とのうち少なくともいずれか一方には、前記挿入部を前記取付孔部に挿入させたときと、挿入を完了したときの挿入力を変化させる検知手段が設けられていることを特徴とするコネクタ。
【請求項２】
請求項１記載のコネクタであって、
前記検知手段は、前記取付孔部と前記挿入部とのうちいずれか一方に撓み可能に設けられた可撓部を有し、
前記可撓部は、前記挿入部が前記取付孔部に挿入されたときに前記取付孔部と前記挿入部とのうち他方と摺動しながら撓み、前記ハウジングの固定部が前記取付壁部の取付位置に位置したときに撓みが開放されることを特徴とするコネクタ。
【請求項３】
請求項２記載のコネクタであって、
前記可撓部は、前記挿入部に設けられ、前記挿入部が前記取付孔部に挿入されたときに前記取付孔部の内壁面と摺動する凸部が設けられ、
前記取付孔部には、前記ハウジングの固定部が前記取付壁部の取付位置に位置したときに前記凸部との摺動を解除させる解除部が設けられていることを特徴とするコネクタ。
【請求項４】
請求項３記載のコネクタであって、
前記解除部は、前記取付孔部の内壁面に設けられ、前記ハウジングの固定部が前記取付壁部の取付位置に位置したときに前記凸部が収容される凹部であることを特徴とするコネクタ。
【請求項５】
請求項３又は４記載のコネクタであって、
前記凸部には、前記挿入部が前記取付孔部から抜け出すときに前記可撓部を撓ませて前記凸部を前記取付孔部の内壁面と摺動させる抜出部が設けられていることを特徴とするコネクタ。
【発明の詳細な説明】
【技術分野】
【０００１】
本発明は、コネクタに関する。
【背景技術】
【０００２】
従来、コネクタとしては、取付孔部が設けられた取付壁部としての機器と、取付孔部に挿入される挿入部としての周壁と機器に固定される固定部としての鍔部とを有するハウジングとしてのインナハウジング及びアウタハウジングと、周壁の内周側に挿通され端部に端子が接続された電線と、機器を挟んでハウジングの鍔部と反対側に設けられ機器に鍔部を介してハウジングが固定された状態で端子が固定部材を介して接続される取付部とを備えたものが知られている（例えば、特許文献１参照）。
【０００３】
このコネクタでは、ハウジングの周壁を機器の取付孔部に挿入し、ハウジングの鍔部をボルトで機器に固定させることによってハウジングが機器に固定される。この状態では、端子が取付部に位置され、ボルトなどの固定部材を介して端子と取付部とが接続される。
【先行技術文献】
【特許文献】
【０００４】
【特許文献１】特開２０１２−３３３４８号公報
【発明の概要】
【発明が解決しようとする課題】
【０００５】
ところで、上記特許文献１のようなコネクタでは、ハウジングの挿入部が取付壁部の取付孔部に完全に挿入されていない場合、ハウジングの固定部と取付壁部との間に隙間が生じてしまう。この固定部と取付壁部との隙間は、固定部を取付壁部に固定するときに、ボルト締めなどによって無くすことができる。
【０００６】
しかしながら、固定部と取付壁部との間に生じた隙間に埃などの異物が入り込んでしまった場合には、固定部を取付壁部に固定したとしても、固定部と取付壁部との間に隙間が生じたままとなる。
【０００７】
このように固定部と取付壁部との間に隙間が生じてしまうと、取付壁部の反対側に設けられた取付部と端子との位置がずれてしまい、固定部材を介して端子と取付部とを接続させることができなかった。
【０００８】
そこで、この発明は、取付壁部の取付孔部に対するハウジングの挿入部の不完全な挿入を防止でき、端子と取付部との位置ずれを防止することができるコネクタの提供を目的としている。
【課題を解決するための手段】
【０００９】
請求項１記載の発明は、取付孔部が設けられた取付壁部と、前記取付孔部に挿入される挿入部と前記取付壁部に固定される固定部とを有するハウジングと、前記挿入部の内部側に挿通され端部に端子が接続された電線と、前記取付壁部を挟んで前記ハウジングの固定部と反対側に設けられ前記取付壁部に前記固定部を介して前記ハウジングが固定された状態で前記端子が固定部材を介して接続される取付部とを備えたコネクタであって、前記取付壁部の取付孔部と前記ハウジングの挿入部とのうち少なくともいずれか一方には、前記挿入部を前記取付孔部に挿入させたときと、挿入を完了したときの挿入力を変化させる検知手段が設けられていることを特徴とする。
【００１０】
このコネクタでは、取付壁部の取付孔部とハウジングの挿入部とのうち少なくともいずれか一方に挿入部を取付孔部に挿入させたときと、挿入を完了したときの挿入力を変化させる検知手段が設けられているので、検知手段による取付孔部に対する挿入部の挿入力の変化によって、挿入部の挿入状態を感知することができ、取付壁部の取付孔部に対してハウジングの挿入部が不完全に挿入されることを防止することができる。
【００１１】
このため、ハウジングの固定部と取付壁部との間に隙間が生じることがなく、取付壁部の反対側に設けられた取付部と端子との位置ずれが防止され、確実に固定部材を介して端子と取付部とを接続させることができる。
【００１２】
従って、このようなコネクタでは、取付壁部の取付孔部に対するハウジングの挿入部の不完全な挿入を防止でき、端子と取付部との位置ずれを防止することができる。
【００１３】
請求項２記載の発明は、請求項１記載のコネクタであって、前記検知手段は、前記取付孔部と前記挿入部とのうちいずれか一方に撓み可能に設けられた可撓部を有し、前記可撓部は、前記挿入部が前記取付孔部に挿入されたときに前記取付孔部と前記挿入部とのうち他方と摺動しながら撓み、前記ハウジングの固定部が前記取付壁部の取付位置に位置したときに撓みが開放されることを特徴とする。
【００１４】
このコネクタでは、検知手段が挿入部が取付孔部に挿入されたときに取付孔部と挿入部とのうち他方と摺動しながら撓み、ハウジングの固定部が取付壁部の取付位置に位置したときに撓みが開放される可撓部を有するので、可撓部の撓みと撓みの開放によって、取付孔部に対する挿入部の挿入力に変化を付与することができる。
【００１５】
請求項３記載の発明は、請求項２記載のコネクタであって、前記可撓部は、前記挿入部に設けられ、前記挿入部が前記取付孔部に挿入されたときに前記取付孔部の内壁面と摺動する凸部が設けられ、前記取付孔部には、前記ハウジングの固定部が前記取付壁部の取付位置に位置したときに前記凸部との摺動を解除させる解除部が設けられていることを特徴とする。
【００１６】
このコネクタでは、挿入部に設けられた可撓部に挿入部が取付孔部に挿入されたときに取付孔部の内壁面と摺動する凸部が設けられ、取付孔部にハウジングの固定部が取付壁部の取付位置に位置したときに凸部との摺動を解除させる解除部が設けられているので、凸部と取付孔部の内壁面との摺動と摺動の解除によって、可撓部の撓みと撓みの開放を行うことができる。
【００１７】
請求項４記載の発明は、請求項３記載のコネクタであって、前記解除部は、前記取付孔部の内壁面に設けられ、前記ハウジングの固定部が前記取付壁部の取付位置に位置したときに前記凸部が収容される凹部であることを特徴とする。
【００１８】
このコネクタでは、解除部が取付孔部の内壁面に設けられ、ハウジングの固定部が取付壁部の取付位置に位置したときに凸部が収容される凹部であるので、取付孔部の長さが長い場合、或いは可撓部の長さが短い場合であっても、ハウジングの固定部が取付壁部の取付位置に位置した状態で、凸部を凹部に収容させ、可撓部の撓みを開放することができる。
【００１９】
請求項５記載の発明は、請求項３又は４記載のコネクタであって、前記凸部には、前記挿入部が前記取付孔部から抜け出すときに前記可撓部を撓ませて前記凸部を前記取付孔部の内壁面と摺動させる抜出部が設けられていることを特徴とする。
【００２０】
このコネクタでは、凸部に挿入部が取付孔部から抜け出すときに可撓部を撓ませて凸部を取付孔部の内壁面と摺動させる抜出部が設けられているので、ハウジングの固定部と取付壁部との固定を解除した状態で、容易に取付壁部からハウジングを取り外すことができる。
【発明の効果】
【００２１】
本発明によれば、取付壁部の取付孔部に対するハウジングの挿入部の不完全な挿入を防止でき、端子と取付部との位置ずれを防止することができるコネクタを提供することができるという効果を奏する。
【図面の簡単な説明】
【００２２】
【図１】本発明の実施の形態に係るコネクタの分解斜視図である。
【図２】本発明の第１実施形態に係るコネクタのハウジングを取付壁部に組付けたときの組付途中における断面図である。
【図３】本発明の第１実施形態に係るコネクタのハウジングを取付壁部に組付けたときの組付完了における断面図である。
【図４】本発明の第２実施形態に係るコネクタのハウジングを取付壁部に組付けたときの組付完了における断面図である。
【発明を実施するための形態】
【００２３】
図１〜図４を用いて本発明の実施の形態に係るコネクタについて説明する。
【００２４】
（第１実施形態）
図１〜図３を用いて第１実施形態について説明する。
【００２５】
本実施の形態に係るコネクタ１は、取付孔部３が設けられた取付壁部５と、取付孔部３に挿入される挿入部７と取付壁部５に固定される固定部９とを有するハウジング１１と、挿入部７の内部側に挿通され端部に端子１３が接続された電線１５と、取付壁部５を挟んでハウジング１１の固定部９と反対側に設けられ取付壁部５に固定部９を介してハウジング１１が固定された状態で端子１３が固定部材１７を介して接続される取付部１９とを備えている。
【００２６】
そして、ハウジング１１の挿入部７には、挿入部７を取付孔部３に挿入させたときと、挿入を完了したときの挿入力を変化させる検知手段２１が設けられている。
【００２７】
また、検知手段２１は、挿入部７に撓み可能に設けられた可撓部２３を有し、可撓部２３は、挿入部７が取付孔部３に挿入されたときに取付孔部３と摺動しながら撓み、ハウジング１１の固定部９が取付壁部５の取付位置に位置したときに撓みが開放される。
【００２８】
さらに、可撓部２３は、挿入部７が取付孔部３に挿入されたときに取付孔部３の内壁面と摺動する凸部２７が設けられ、取付孔部３には、ハウジング１１の固定部９が取付壁部５の取付位置に位置したときに凸部２７との摺動を解除させる解除部２５が設けられている。
【００２９】
また、凸部２７には、挿入部７が取付孔部３から抜け出すときに可撓部２３を撓ませて凸部２７を取付孔部３の内壁面と摺動させる抜出部２９が設けられている。
【００３０】
図１〜図３に示すように、取付壁部５は、内部に機器などを収容するケーシングの側壁からなり、ケーシングの内部と外部とを貫通する取付孔部３が設けられている。取付孔部３は、ハウジング１１の挿入部７を挿入可能なように円形状に形成され、ハウジング１１側の開口縁がテーパ状に形成されている。この取付孔部３にハウジング１１の挿入部７を挿入することにより、ケーシングが閉塞される。
【００３１】
ハウジング１１は、絶縁性の合成樹脂材料からなり、挿入部７と、固定部９と、挿通孔部３１とを備えている。挿入部７は、基部から取付壁部５側に向けて円筒状に延設され、外径が取付孔部３の内径と同等、或いは僅かに小さく設定されている。また、挿入部７の外周には、シール部材としてのＯリング３３が溝部に密着して配置される。このＯリング３３は、挿入部７を取付孔部３に挿入した状態で、取付孔部３の内壁面と挿入部７の外周面とに密着し、挿入部７と取付孔部３との間をシールする。
【００３２】
このような挿入部７は、ハウジング１１を取付壁部５に組付ける際に、取付壁部５の取付孔部３に挿入され、取付孔部３に完全に挿入された状態で、固定部９を取付壁部５に固定することによって取付孔部３への挿入状態が保持される。
【００３３】
固定部９は、基部から径方向一側に向けて三角形状に延設され、中央部にカラー３５が装着される孔が設けられている。この固定部９は、挿入部７が取付孔部３に完全に挿入された状態で、側壁面が取付壁部５に当接されて取付壁部５のボルト孔にカラー３５が位置され、ボルトなどの固定部材（不図示）を介して取付壁部５に固定される。この固定部９が設けられた基部には、挿通孔部３１が設けられている。なお、固定部９の取付壁部５への固定は、ボルト締めに限らず、接着手段などによって直接的に固定部９を取付壁部５に固定してもよい。
【００３４】
挿通孔部３１は、基部の中央部に貫通して設けられ、挿入部７と連通されている。この挿通孔部３１には、電源や機器などに接続された電線１５が挿通される。この電線１５の端末には、ボルトなどの固定部材１７を挿通可能な孔が設けられた接続部を有する端子１３が圧着などによって電気的に接続されている。
【００３５】
このような電線１５の外周には、合成ゴムなどの弾性材料からなるシール部材３７が配置されている。このシール部材３７は、挿通孔部３１の内壁面と電線１５の外周面とに密着し、ハウジング１１と電線１５との間をシールする。
【００３６】
なお、挿通孔部３１の電線１５の引き出し側には、リヤホルダ３９が組付けられて挿通孔部３１を閉塞する。この挿通孔部３１とリヤホルダ３９との間にも、ハウジング１１とリヤホルダ３９との間をシールするシール部材を設けてもよい。また、シール部材３７の挿入部７側には、電線１５に圧入され、電線１５に対するハウジング１１の移動を規制するハウジングストッパ４１が配置されている。
【００３７】
このような挿通孔部３１を挿通する電線１５の端末に設けられた端子１３は、導電性材料からなり、挿入部７からハウジング１１の外部に引き出される。この端子１３は、ハウジング１１を取付壁部５に組付けた状態で、取付部１９と対応する位置に配置される。
【００３８】
取付部１９は、導電性材料からなり、機器などに電気的に接続されている。この取付部１９は、固定部材１７が締結される孔が設けられ、端子１３が位置された状態で、固定部材１７を介して端子１３と電気的に接続される。
【００３９】
このようなコネクタ１では、ハウジング１１の挿入部７が取付壁部５の取付孔部３に完全に挿入された場合、ハウジング１１の固定部９が取付壁部５との間に隙間が生じることなく配置される。この状態では、図３に示すように、固定部材１７を端子１３と取付部１９とに挿入可能なように、端子１３が取付部１９上に配置される。
【００４０】
一方、コネクタ１では、ハウジング１１の挿入部７が取付壁部５の取付孔部３に不完全に挿入された場合、ハウジング１１の固定部９が取付壁部５との間に隙間が生じて配置される。この状態では、図２に示すように、端子１３と取付部１９とに位置ずれが生じ、端子１３と固定部材１７とが干渉し、固定部材１７を端子１３と取付部１９とに挿入することができない。
【００４１】
このようなハウジング１１の挿入部７が取付壁部５の取付孔部３に不完全に挿入されることを防止するために、ハウジング１１の挿入部７には、挿入部７を取付孔部３に挿入させるときの挿入力を変化させる検知手段２１が設けられている。
【００４２】
検知手段２１は、挿入部７の先端側の周方向等間隔に２箇所に撓み可能に設けられた可撓部２３を有する。この可撓部２３は、挿入部７の端面を基端として挿入部７と連続する一部材で取付孔部３への挿入方向に向けて薄板状に延設され、自由端側の外周面に取付孔部３の開口縁に設けられた解除部２５の側面に位置するように挿入部７の外径より突出された凸部２７が突設されている。なお、可撓部２３は、２箇所に限らず、２箇所以上、或いは１箇所であってもよい。
【００４３】
このような可撓部２３は、図２の矢印で示すように、挿入部７が取付孔部３に挿入された状態で、凸部２７が取付孔部３の内壁面と摺動することによって挿入部７の内径側に向けて撓まされる。このとき、挿入部７の取付孔部３への挿入力は、凸部２７と取付孔部３の内壁面との摺動と、Ｏリング３３と取付孔部３の内壁面との摺動とを合わせた摩擦抵抗となる。
【００４４】
一方、可撓部２３は、図３の矢印で示すように、挿入部７が取付孔部３に完全に挿入された状態、すなわちハウジング１１の固定部９が取付壁部５の取付位置に位置した状態で、凸部２７が解除部２５の側面に位置することによって凸部２７と取付孔部３の内壁面との摺動が解除され、撓みが開放される。このとき、挿入部７の取付孔部３への挿入力は、Ｏリング３３と取付孔部３の内壁面との摺動のみの摩擦抵抗となる。
【００４５】
このように検知手段２１によって挿入部７の取付孔部３への挿入力を変化させることにより、挿入部７の取付孔部３に対する挿入状態を感知することができ、挿入部７の取付孔部３への不完全な挿入を防止することができる。このため、ハウジング１１の固定部９と取付壁部５との間に隙間が生じることがなく、固定部９と取付壁部５との間に不純物などが介在されることがない。
【００４６】
ここで、凸部２７には、挿入部７が取付孔部３から抜け出すときに可撓部２３を撓ませて凸部２７を取付孔部３の内壁面と摺動させる抜出部２９が設けられている。この抜出部２９は、挿入部７が取付孔部３から抜け出す方向に向けて下り傾斜となる傾斜面となっている。このような抜出部２９により、ハウジング１１の固定部９と取付壁部５との固定を解除し、挿入部７を取付孔部３から引き抜くことによって、抜出部２９と解除部２５とが当接して可撓部２３を撓ませ、凸部２７と取付孔部３の内壁面とが摺動可能となり、容易にハウジング１１を取付壁部５から取り外すことができる。
【００４７】
このようなコネクタ１では、ハウジング１１の挿入部７に挿入部７を取付孔部３に挿入させたときと、挿入を完了したときの挿入力を変化させる検知手段２１が設けられているので、検知手段２１による取付孔部３に対する挿入部７の挿入力の変化によって、挿入部７の挿入状態を感知することができ、取付壁部５の取付孔部３に対してハウジング１１の挿入部７が不完全に挿入されることを防止することができる。
【００４８】
このため、ハウジング１１の固定部９と取付壁部５との間に隙間が生じることがなく、取付壁部５の反対側に設けられた取付部１９と端子１３との位置ずれが防止され、確実に固定部材１７を介して端子１３と取付部１９とを接続させることができる。
【００４９】
従って、このようなコネクタ１では、取付壁部５の取付孔部３に対するハウジング１１の挿入部７の不完全な挿入を防止でき、端子１３と取付部１９との位置ずれを防止することができる。
【００５０】
また、検知手段２１は、挿入部７が取付孔部３に挿入されたときに取付孔部３と摺動しながら撓み、ハウジング１１の固定部９が取付壁部５の取付位置に位置したときに撓みが開放される可撓部２３を有するので、可撓部２３の撓みと撓みの開放によって、取付孔部３に対する挿入部７の挿入力に変化を付与することができる。
【００５１】
さらに、挿入部７に設けられた可撓部２３には挿入部７が取付孔部３に挿入されたときに取付孔部３の内壁面と摺動する凸部２７が設けられ、取付孔部３にはハウジング１１の固定部９が取付壁部５の取付位置に位置したときに凸部２７との摺動を解除させる解除部２５が設けられているので、凸部２７と取付孔部３の内壁面との摺動と摺動の解除によって、可撓部２３の撓みと撓みの開放を行うことができる。
【００５２】
また、凸部２７には、挿入部７が取付孔部３から抜け出すときに可撓部２３を撓ませて凸部２７を取付孔部３の内壁面と摺動させる抜出部２９が設けられているので、ハウジング１１の固定部９と取付壁部５との固定を解除した状態で、容易に取付壁部５からハウジング１１を取り外すことができる。
【００５３】
（第２実施形態）
図４を用いて第２実施形態について説明する。
【００５４】
本実施の形態に係るコネクタ１０１は、解除部２５は、取付孔部１０３の内壁面に設けられ、ハウジング１１の固定部９が取付壁部５の取付位置に位置したときに凸部２７が収容される凹部１０５である。
【００５５】
なお、第１実施形態と同一の構成には、同一の記号を記して説明を省略するが、第１実施形態と同一の構成であるので、構成及び機能説明は第１実施形態を参照するものとし省略するが、得られる効果は同一である。
【００５６】
図４に示すように、取付孔部１０３の解除部２５は、取付孔部１０３の内壁面に周方向に溝状に設けられた凹部１０５となっている。この凹部１０５は、挿入部７が取付孔部１０３に完全に挿入された状態、すなわちハウジング１１の固定部９が取付壁部５の取付位置に位置した状態で、凸部２７が収容されることによって凸部２７と取付孔部１０３の内壁面との摺動が解除され、可撓部２３の撓みが開放される。
【００５７】
このように可撓部２３の撓みを開放させる解除部２５としての凹部１０５を取付孔部１０３の内壁面に設けることにより、取付孔部１０３の長さが第１実施形態の取付孔部３（例えば、図２参照）より長い場合であっても、可撓部２３の長さを変更することなく、可撓部２３の撓みと撓みの開放を行うことができる。
【００５８】
このようなコネクタ１０１では、解除部２５が取付孔部１０３の内壁面に設けられ、ハウジング１１の固定部９が取付壁部５の取付位置に位置したときに凸部２７が収容される凹部１０５であるので、取付孔部１０３の長さが長い場合、或いは可撓部２３の長さが短い場合であっても、ハウジング１１の固定部９が取付壁部５の取付位置に位置した状態で、凸部２７を凹部１０５に収容させ、可撓部２３の撓みを開放することができる。
【００５９】
なお、本発明の実施の形態に係るコネクタでは、可撓部がハウジングの挿入部に設けられているが、これに限らず、可撓部を取付壁部の取付孔部の開口縁に設けるなどしてもよい。
【００６０】
また、挿入部は、円筒状に形成されているが、これに限らず、挿入部が挿入される取付壁部の取付孔部の形状に合わせて挿入部の形状を設定すればよい。
【００６１】
さらに、検知手段は、可撓部に限らず、例えば、取付孔部の内壁面に挿入部の外周と摺動する突起部を設け、挿入部の外周にハウジングの固定部が取付壁部の取付位置に位置した状態で突起部を収容する凹部を設けるなど、挿入部の取付孔部に対する挿入状態に合わせて挿入部の挿入力を変化させるものであれば、どのような形態であってもよい。
【００６２】
また、解除部は、可撓部の凸部が側面に位置したり、凹部に収容されたりすることによって、可撓部の撓みを開放させているが、ハウジングの固定部が取付壁部の取付位置に位置したときに、凸部と解除部とを係止させてもよい。このような場合には、ハウジングの固定部が取付壁部に固定される前の状態で、ハウジングを取付壁部に仮止めすることができる。
【００６３】
さらに、第２実施形態に係るコネクタでは、解除部としての凹部が取付孔部の内壁面に周方向に溝状に設けられているが、これに限らず、ハウジングの固定部が取付壁部の取付位置に位置したときに、凸部を収容することができる形状であれば、凹部の形状はどのようなものであってもよい。
【符号の説明】
【００６４】
１，１０１…コネクタ
３，１０３…取付孔部
５…取付壁部
７…挿入部
９…固定部
１１…ハウジング
１３…端子
１５…電線
１７…固定部材
１９…取付部
２１…検知手段
２３…可撓部
２５…解除部
２７…凸部
２９…抜出部
１０５…凹部
【図１】
2014220065.tif 000003
【図２】
2014220065.tif 000004
【図３】
2014220065.tif 000005
【図４】
2014220065.tif 000006